(57)【要約】    【課題】  板ガラスを所望の形状にすることができると共に、透視歪が発生することを防止することができる板ガラスの曲げ加工方法及び板ガラスの曲げ加工装置を提供する。    【解決手段】  トンネル状の加熱炉１０における成形ゾーン１２のセクション２０は、板ガラス１００を加熱する複数の加熱ヒータ２３により構成される加熱ヒータ群１５と、上方から懸吊された熱遮蔽板２５とを備える。熱遮蔽板２５は、板ガラス１００の上面における上下方向（Ｂ方向）に関して板ガラス１００における中央部と周辺部とを分割（３分割）する分割線の上方に位置する熱遮蔽板２５ａ〜２５ｆと、板ガラス１００の上面における幅方向（Ａ方向）に関して板ガラス１００における中央部と周辺部とを分割（３分割）する分割線の上方に位置する熱遮蔽板２５ｇ〜２５ｌとから成り、井桁状に配されている。【選択図】      図３
2005343747.tif 000002
【特許請求の範囲】
【請求項１】
板ガラスを枠状の曲げ型の上に載置し、前記載置された板ガラスの上方から前記板ガラスを加熱する板ガラスの曲げ加工方法において、前記板ガラスへの加熱により生じた輻射熱線のうち前記板ガラスの上面に対して斜め方向に入射する輻射熱線を遮断することを特徴とする板ガラスの曲げ加工方法。
【請求項２】
前記輻射熱線の遮断を前記板ガラスの上面に対して略垂直に設けられた熱遮蔽板を配設することにより行うことを特徴とする請求項１記載の板ガラスの曲げ加工方法。
【請求項３】
前記熱遮蔽板は、少なくとも前記板ガラスの上面における一の方向に関して前記板ガラスにおける中央部と周辺部とを分割する分割線の上方に位置することを特徴とする請求項２記載の板ガラスの曲げ加工方法。
【請求項４】
前記板ガラスは自動車用ガラスであり、前記一の方向は前記自動車用ガラスの自動車への装着時における略鉛直方向であることを特徴とする請求項３記載の板ガラスの曲げ加工方法。
【請求項５】
前記熱遮蔽板は、前記板ガラスの上面における前記一の方向に略直交する他の方向に関して前記板ガラスにおける中央部と周辺部とを分割する分割線の上方に位置することを特徴とする請求項３又は４記載の板ガラスの曲げ加工方法。
【請求項６】
前記熱遮蔽板は井桁状に配されていることを特徴とする請求項５記載の板ガラスの曲げ加工方法。
【請求項７】
前記熱遮蔽板により画成された板ガラスの領域毎に加熱量の大きさを制御することを特徴とする請求項２乃至６のいずれか１項に記載の板ガラスの曲げ加工方法。
【請求項８】
前記熱遮蔽板と前記板ガラスとの間隔を制御することを特徴とする請求項２乃至７のいずれか１項に記載の板ガラスの曲げ加工方法。
【請求項９】
前記熱遮蔽板は、ガラス繊維、ステンレス、及びカーボンクロスから成る群から選択された１つから成ることを特徴とする請求項２乃至８のいずれか１項に記載の板ガラスの曲げ加工方法。
【請求項１０】
前記熱遮蔽板は懸吊されていることを特徴とする請求項２乃至９のいずれか１項に記載の板ガラスの曲げ加工方法。
【請求項１１】
前記板ガラスは同一形状の複数の板ガラスから成り、前記複数の板ガラスは前記曲げ型の上に重ねて載置されることを特徴とする請求項１乃至１０のいずれか１項に記載の板ガラスの曲げ加工方法。
【請求項１２】
板ガラスが載置される枠状の曲げ型と、前記載置された板ガラスの上方から前記板ガラスを加熱する加熱部と、前記板ガラスへの加熱により生じた輻射熱線のうち前記板ガラスの上面に対して斜め方向に入射する輻射熱線を遮断する熱遮蔽板とを備えることを特徴とする板ガラスの曲げ加工装置。
【請求項１３】
前記熱遮蔽板は前記板ガラスの上面に対して略垂直に配設されていることを特徴とする請求項１２記載の板ガラスの曲げ加工装置。
【請求項１４】
前記熱遮蔽板は、少なくとも前記板ガラスの上面における一の方向に関して前記板ガラスにおける中央部と周辺部とを分割する分割線の上方に位置することを特徴とする請求項１２又は１３記載の板ガラスの曲げ加工装置。
【請求項１５】
前記板ガラスは自動車用ガラスであり、前記一の方向は前記自動車用ガラスの自動車への装着時における略鉛直方向であることを特徴とする請求項１４記載の板ガラスの曲げ加工装置。
【請求項１６】
前記熱遮蔽板は、前記板ガラスの上面における前記一の方向に略直交する他の方向に関して前記板ガラスにおける中央部と周辺部とを分割する分割線の上方に位置することを特徴とする請求項１４又は１５記載の板ガラスの曲げ加工装置。
【請求項１７】
前記熱遮蔽板は井桁状に配されていることを特徴とする請求項１６記載の板ガラスの曲げ加工装置。
【請求項１８】
前記熱遮蔽板により画成された板ガラスの領域毎に前記加熱部の加熱量の大きさを制御する加熱量制御部をさらに備えることを特徴とする請求項１２乃至１７のいずれか１項に記載の板ガラスの曲げ加工装置。
【請求項１９】
前記熱遮蔽板と前記板ガラスとの間隔を制御する間隔制御機構をさらに備えることを特徴とする請求項１２乃至１８のいずれか１項に記載の板ガラスの曲げ加工装置。
【請求項２０】
前記熱遮蔽板は、ガラス繊維、ステンレス、及びカーボンクロスから成る群から選択された１つから成ることを特徴とする請求項１２乃至１９のいずれか１項に記載の板ガラスの曲げ加工装置。
【請求項２１】
前記熱遮蔽板は懸吊されていることを特徴とする請求項１２乃至２０のいずれか１項に記載の板ガラスの曲げ加工装置。
【請求項２２】
前記板ガラスは同一形状の複数の板ガラスから成り、前記複数の板ガラスは前記曲げ型の上に重ねて載置されることを特徴とする請求項１２乃至２１のいずれか１項に記載の板ガラスの曲げ加工装置。
【請求項２３】
前記板ガラスが載置された曲げ型を搬送する搬送部と、前記板ガラスの搬入側に設けられた予備加熱部と、前記板ガラスの搬送側に設けられた徐冷部とをさらに備えることを特徴とする請求項１２又は２２記載の板ガラスの曲げ加工装置。
【発明の詳細な説明】
【技術分野】
【０００１】
本発明は、板ガラスの曲げ加工方法及び板ガラスの曲げ加工装置に関する。
【背景技術】
【０００２】
板ガラスの曲げ加工、例えば自動車用の窓ガラスの曲げ加工は、板ガラスをその外周部で支持する枠状の曲げ型に載置し、この曲げ型に載置された板ガラスを加熱炉内における加熱ヒータで板ガラスの曲げ成形温度（通常５５０〜６５０℃程度）まで加熱し、板ガラスの自重によって変形させて曲げ型に沿った形状に成形すること（自重曲げ）によって行われる。
【０００３】
このような板ガラスの曲げ加工において、板ガラスの曲がり形状を滑らかにするためには、板ガラスの各部における温度分布を精密且つ再現性良く制御する必要がある。特に、板ガラスの中央部における上下方向（自動車に装着した場合における略鉛直方向）に関する曲がり形状を滑らかにするためには、板ガラスの各部における温度分布をさらに精密且つ再現性良く制御する必要がある。
【０００４】
例えば、板ガラス全体をほぼ均一の温度で加熱した場合、板ガラスは中央部が平坦な形状（鍋底形状）（図７）となり、板ガラスの周縁部において曲率が急激に変化する曲がり（図７における７００）が生じる。この曲がり７００を有する鍋底形状の板ガラスは、ダブリ現象（例えば曲率のバラツキにより生じる光学歪み等）を発現し、特に、自動車用の窓ガラス（フロントガラス、リアガラス）として使用した場合においては、曲がり７００を介する遠景像に歪み（透視歪）が生じることやワイパ動作が円滑でなくなるという問題等が生じていた。ここで、加熱炉（後述する図１における１０）内における加熱ヒータ群（後述する図１における１５）を細分化して板ガラスの中央部における加熱ヒータ群の加熱量を板ガラスの周辺部における加熱ヒータ群の加熱量よりも大きくして板ガラスを加熱しても、板ガラス内に十分な温度勾配を持たせることができず、板ガラスが鍋底形状になるのを防ぐことができない。
【０００５】
そこで、従来より、板ガラスの中央部の加熱ヒータのみを板ガラスに接近させることにより、板ガラスの中央部が周辺部より高温になるように加熱して、板ガラス内に温度勾配を持たせる方法（例えば、特許文献１参照）や、吸熱部材を板ガラスの周辺部の上方においてスダレ状に分割して配備することにより、板ガラスの中央部が板ガラスの周辺部より高温になるように加熱して、板ガラス内に温度勾配を持たせる方法（例えば、特許文献２参照）等が用いられている。
【特許文献１】特開２００１−８９１７２号公報
【特許文献２】特開平６−２１９７５９号公報
【発明の開示】
【発明が解決しようとする課題】
【０００６】
しかしながら、板ガラスの中央部が板ガラスの周辺部より高温になるように加熱するためには、板ガラスの中央部における加熱ヒータをできるだけ板ガラスに接近させる必要があるため、板ガラスが鍋底形状になるのを防ぐことができるものの、板ガラスに局部的な曲がりが生じて透視歪が発生するという問題があった。また、吸熱部材を板ガラスの周辺部の上方においてスダレ状に分割配備しても、板ガラス内に急激な温度勾配を持たせることができず、板ガラスを所望の形状にすることができないという問題があった。
【０００７】
本発明の目的は、板ガラスを所望の形状にすることができると共に、透視歪が発生することを防止することができる板ガラスの曲げ加工方法及び板ガラスの曲げ加工装置を提供することにある。
【課題を解決するための手段】
【０００８】
上記目的を達成するために、請求項１記載の板ガラスの曲げ加工方法は、板ガラスを枠状の曲げ型の上に載置し、前記載置された板ガラスの上方から前記板ガラスを加熱する板ガラスの曲げ加工方法において、前記板ガラスへの加熱により生じた輻射熱線のうち前記板ガラスの上面に対して斜め方向に入射する輻射熱線を遮断することを特徴とする。
【０００９】
請求項２記載の板ガラスの曲げ加工方法は、請求項１記載の板ガラスの曲げ加工方法において、前記輻射熱線の遮断を前記板ガラスの上面に対して略垂直に設けられた熱遮蔽板を配設することにより行うことを特徴とする。
【００１０】
請求項３記載の板ガラスの曲げ加工方法は、請求項２記載の板ガラスの曲げ加工方法において、前記熱遮蔽板は、少なくとも前記板ガラスの上面における一の方向に関して前記板ガラスにおける中央部と周辺部とを分割する分割線の上方に位置することを特徴とする。
【００１１】
請求項４記載の板ガラスの曲げ加工方法は、請求項３記載の板ガラスの曲げ加工方法において、前記板ガラスは自動車用ガラスであり、前記一の方向は前記自動車用ガラスの自動車への装着時における略鉛直方向であることを特徴とする。
【００１２】
請求項５記載の板ガラスの曲げ加工方法は、請求項３又は４記載の板ガラスの曲げ加工方法において、前記熱遮蔽板は、前記板ガラスの上面における前記一の方向に略直交する他の方向に関して前記板ガラスにおける中央部と周辺部とを分割する分割線の上方に位置することを特徴とする。
【００１３】
請求項６記載の板ガラスの曲げ加工方法は、請求項５記載の板ガラスの曲げ加工方法において、前記熱遮蔽板は井桁状に配されていることを特徴とする。
【００１４】
請求項７記載の板ガラスの曲げ加工方法は、請求項２乃至６のいずれか１項に記載の板ガラスの曲げ加工方法において、前記熱遮蔽板により画成された板ガラスの領域毎に加熱量の大きさを制御することを特徴とする。
【００１５】
請求項８記載の板ガラスの曲げ加工方法は、請求項２乃至７のいずれか１項に記載の板ガラスの曲げ加工方法において、前記熱遮蔽板と前記板ガラスとの間隔を制御することを特徴とする。
【００１６】
請求項９記載の板ガラスの曲げ加工方法は、請求項２乃至８のいずれか１項に記載の板ガラスの曲げ加工方法において、前記熱遮蔽板は、ガラス繊維、ステンレス、及びカーボンクロスから成る群から選択された１つから成ることを特徴とする。
【００１７】
請求項１０記載の板ガラスの曲げ加工方法は、請求項２乃至９のいずれか１項に記載の板ガラスの曲げ加工方法において、前記熱遮蔽板は懸吊されていることを特徴とする。
【００１８】
請求項１１記載の板ガラスの曲げ加工方法は、請求項１乃至１０のいずれか１項に記載の板ガラスの曲げ加工方法において、前記板ガラスは同一形状の複数の板ガラスから成り、前記複数の板ガラスは前記曲げ型の上に重ねて載置されることを特徴とする。
【００１９】
上記目的を達成するために、請求項１２記載の板ガラスの曲げ加工装置は、板ガラスが載置される枠状の曲げ型と、前記載置された板ガラスの上方から前記板ガラスを加熱する加熱部と、前記板ガラスへの加熱により生じた輻射熱線のうち前記板ガラスの上面に対して斜め方向に入射する輻射熱線を遮断する熱遮蔽板とを備えることを特徴とする。
【００２０】
請求項１３記載の板ガラスの曲げ加工装置は、請求項１２記載の板ガラスの曲げ加工装置において、前記熱遮蔽板は前記板ガラスの上面に対して略垂直に配設されていることを特徴とする。
【００２１】
請求項１４記載の板ガラスの曲げ加工装置は、請求項１２又は１３記載の板ガラスの曲げ加工装置において、前記熱遮蔽板は、少なくとも前記板ガラスの上面における一の方向に関して前記板ガラスにおける中央部と周辺部とを分割する分割線の上方に位置することを特徴とする。
【００２２】
請求項１５記載の板ガラスの曲げ加工装置は、請求項１４記載の板ガラスの曲げ加工装置において、前記板ガラスは自動車用ガラスであり、前記一の方向は前記自動車用ガラスの自動車への装着時における略鉛直方向であることを特徴とする。
【００２３】
請求項１６記載の板ガラスの曲げ加工装置は、請求項１４又は１５記載の板ガラスの曲げ加工装置において、前記熱遮蔽板は、前記板ガラスの上面における前記一の方向に略直交する他の方向に関して前記板ガラスにおける中央部と周辺部とを分割する分割線の上方に位置することを特徴とする。
【００２４】
請求項１７記載の板ガラスの曲げ加工装置は、請求項１６記載の板ガラスの曲げ加工装置において、前記熱遮蔽板は井桁状に配されていることを特徴とする。
【００２５】
請求項１８記載の板ガラスの曲げ加工装置は、請求項１２乃至１７のいずれか１項に記載の板ガラスの曲げ加工装置において、前記熱遮蔽板により画成された板ガラスの領域毎に前記加熱部の加熱量の大きさを制御する加熱量制御部をさらに備えることを特徴とする。
【００２６】
請求項１９記載の板ガラスの曲げ加工装置は、請求項１２乃至１８のいずれか１項に記載の板ガラスの曲げ加工装置において、前記熱遮蔽板と前記板ガラスとの間隔を制御する間隔制御機構をさらに備えることを特徴とする。
【００２７】
請求項２０記載の板ガラスの曲げ加工装置は、請求項１２乃至１９のいずれか１項に記載の板ガラスの曲げ加工装置において、前記熱遮蔽板は、ガラス繊維、ステンレス、及びカーボンクロスから成る群から選択された１つから成ることを特徴とする。
【００２８】
請求項２１記載の板ガラスの曲げ加工装置は、請求項１２乃至２０のいずれか１項に記載の板ガラスの曲げ加工装置において、前記熱遮蔽板は懸吊されていることを特徴とする。
【００２９】
請求項２２記載の板ガラスの曲げ加工装置は、請求項１２乃至２１のいずれか１項に記載の板ガラスの曲げ加工装置において、前記板ガラスは同一形状の複数の板ガラスから成り、前記複数の板ガラスは前記曲げ型の上に重ねて載置されることを特徴とする。
【００３０】
請求項２３記載の板ガラスの曲げ加工装置は、請求項１２又は２２記載の板ガラスの曲げ加工装置において、前記板ガラスが載置された曲げ型を搬送する搬送部と、前記板ガラスの搬入側に設けられた予備加熱部と、前記板ガラスの搬送側に設けられた徐冷部とをさらに備えることを特徴とする。
【発明の効果】
【００３１】
請求項１記載の板ガラスの曲げ加工方法によれば、板ガラスへの加熱により生じた輻射熱線のうち板ガラスの上面に対して斜め方向に入射する輻射熱線の一部又は全部を遮断するので、板ガラスの温度分布を容易に制御することができ、もって、板ガラスを所望の形状にすることができると共に、透視歪が発生することを防止することができる。
【００３２】
請求項２記載の板ガラスの曲げ加工方法によれば、輻射熱線の遮断をガラスの上面に対して略垂直に設けられた熱遮蔽板を配設することにより行うので、板ガラスへの加熱により生じた輻射熱線のうち板ガラスの上面に対して斜め方向に入射する輻射熱線を容易に遮断することができる。
【００３３】
請求項３記載の板ガラスの曲げ加工方法によれば、熱遮蔽板は、少なくとも板ガラスの上面における一の方向に関して板ガラスにおける中央部と周辺部とを分割する分割線の上方に位置するので、一の方向に関する中央部と周辺部との境界において凸型の急な温度勾配を持たせることができる。
【００３４】
請求項５記載の板ガラスの曲げ加工方法によれば、熱遮蔽板は、板ガラスの上面における一の方向に略直交する他の方向に関して板ガラスにおける中央部と周辺部とを分割する分割線の上方に位置するので、他の方向に関する中央部と周辺部との境界において凸型の急な温度勾配を持たせることができる。
【００３５】
請求項６記載の板ガラスの曲げ加工方法によれば、熱遮蔽板は井桁状に配されているので、中央部と周辺部との境界において凸型の急な温度勾配を確実に持たせることができる。
【００３６】
請求項７記載の板ガラスの曲げ加工方法によれば、熱遮蔽板により画成された板ガラスの領域毎に加熱量の大きさを制御するので、板ガラスの温度分布をより精密に制御することができる。
【００３７】
請求項８記載の板ガラスの曲げ加工方法によれば、熱遮蔽板と板ガラスとの間隔を制御するので、熱遮蔽板により画成された板ガラスの領域の境界近傍における温度勾配をより精密に制御することができる。
【００３８】
請求項９記載の板ガラスの曲げ加工方法によれば、熱遮蔽板は、ガラス繊維、ステンレス、及びカーボンクロスから成る群から選択された１つから成るので、耐熱性を有する熱遮蔽板を低コストで用意することができる。
【００３９】
請求項１０記載の板ガラスの曲げ加工方法によれば、熱遮蔽板は懸吊されているので、熱遮蔽板と板ガラスとの間隔を容易に調整することができる。
【００４０】
請求項１１記載の板ガラスの曲げ加工方法によれば、板ガラスは同一形状の複数の板ガラスから成り、複数の板ガラスは曲げ型の上に重ねて載置されるので、同一形状に曲げ加工された板ガラスを同時に作製することができ、もってこの曲げ加工された板ガラスを中間膜を介して貼り合せることにより透視歪がない合わせガラスを容易に作製することができる。
【００４１】
請求項１２記載の板ガラスの曲げ加工装置によれば、板ガラスへの加熱により生じた輻射熱線のうち板ガラスの上面に対して斜め方向に入射する輻射熱線を遮断する熱遮蔽板を備えるので、板ガラスの温度分布を容易に制御することができ、もって、板ガラスを所望の形状にすることができると共に、透視歪が発生することを防止することができる。
【００４２】
請求項１３記載の板ガラスの曲げ加工装置によれば、熱遮蔽板は板ガラスの上面に対して略垂直に配設されているので、板ガラスへの加熱により生じた輻射熱線のうち板ガラスの上面に斜め方向に入射する輻射熱線を容易に遮断することができる。
【００４３】
請求項１４記載の板ガラスの曲げ加工装置によれば、熱遮蔽板は、少なくとも板ガラスの上面における一の方向に関して板ガラスにおける中央部と周辺部とを分割する分割線の上方に位置するので、一の方向に関する中央部と周辺部との境界において凸型の急な温度勾配を持たせることができる。
【００４４】
請求項１６記載の板ガラスの曲げ加工装置によれば、熱遮蔽板は、板ガラスの上面における一の方向に略直交する他の方向に関して板ガラスにおける中央部と周辺部とを分割する分割線の上方に位置するので、他の方向に関する中央部と周辺部との境界において凸型の急な温度勾配を持たせることができる。
【００４５】
請求項１７記載の板ガラスの曲げ加工装置によれば、熱遮蔽板は井桁状に配されているので、中央部と周辺部との境界において凸型の急な温度勾配を確実に持たせることができる。
【００４６】
請求項１８記載の板ガラスの曲げ加工装置によれば、熱遮蔽板により画成された板ガラスの領域毎に加熱量の大きさを制御する加熱量制御部をさらに備えるので、板ガラスの温度分布をより精密に制御することができる。
【００４７】
請求項１９記載の板ガラスの曲げ加工装置によれば、熱遮蔽板と板ガラスとの間隔を制御する間隔制御機構をさらに備えるので、熱遮蔽板により画成された板ガラスの領域の境界近傍における温度勾配をより精密に制御することができる。
【００４８】
請求項２０記載の板ガラスの曲げ加工装置によれば、熱遮蔽板は、ガラス繊維、ステンレス、及びカーボンクロスから成る群から選択された１つから成るので、耐熱性を有する熱遮蔽板を低コストで用意することができる。
【００４９】
請求項２１記載の板ガラスの曲げ加工装置によれば、熱遮蔽板は懸吊されているので、熱遮蔽板と板ガラスとの間隔を容易に調整することができる。
【００５０】
請求項２２記載の板ガラスの曲げ加工装置によれば、板ガラスは同一形状の複数の板ガラスから成り、複数の板ガラスは曲げ型の上に重ねて載置されるので、同一形状に曲げ加工された板ガラスを同時に作製することができ、もってこの曲げ加工された板ガラスを中間膜を介して貼り合せることにより透視歪がない合わせガラスを容易に作製することができる。
【００５１】
請求項２３記載の板ガラスの曲げ加工装置によれば、板ガラスが載置された曲げ型を搬送する搬送部と、搬入側に設けられた予備加熱部と、搬送側に設けられた徐冷部とをさらに備えるので、板ガラスの曲げ加工を連続して実施することができる。
【発明を実施するための最良の形態】
【００５２】
以下、本発明の実施の形態を図面を参照しながら説明する。
【００５３】
図１は、本実施の形態に係る板ガラスの曲げ加工装置の概略構成を説明するために用いられる図であり、（ａ）は、全体配置側面図であり、（ｂ）は、曲げ加工装置における曲げ加工温度分布を示すグラフである。
【００５４】
図１（ａ）において、本実施の形態に係る板ガラスの曲げ加工装置としてのトンネル状の加熱炉１０は、予熱ゾーン１１と、成形ゾーン１２と、徐冷ゾーン１３とで構成され、予熱ゾーン１１、成形ゾーン１２、及び徐冷ゾーン１３を通して矢印Ｃ方向に板ガラスを搬送する搬送コンベア（後述する図２における２２）を備える。
【００５５】
また、各ゾーン１１，１２，１３はそれぞれ複数のセクションを有し、各セクションには主に直下の板ガラスを加熱する加熱ヒータ群１５（加熱部）が設けられている。
【００５６】
図１（ｂ）において、加熱炉１０内の曲げ加工温度は、予熱ゾーン１１において搬送方向（矢印Ｃ方向）に進むにつれ高くなり、成形ゾーン１２においてほぼ一定であり、徐冷ゾーン１３において搬送方向（矢印Ｃ方向）に進むにつれ低くなるように設定される。
【００５７】
図２は、図１における成形ゾーンのセクションの構成を概略的に示す構成図である。
【００５８】
図２において、成形ゾーン１２のセクション２０は、板ガラス１００の周辺を支持する枠状の曲げ型２１と、板ガラス１００を載置した曲げ型２１を搬送する搬送コンベア２２と、板ガラス１００の上面に対して略垂直上方に設置され、主に直下の板ガラス１００を加熱する複数の加熱ヒータ２３により構成される加熱ヒータ群１５と、加熱ヒータ２３を天井から離隔するように支持するヒータ架台２４と、上方から懸吊された熱遮蔽板２５と、熱遮蔽板２５を水平方向及び上下方向に移動させる移動機構２９（間隔制御機構）とを備える。
【００５９】
また、加熱ヒータ群１５は、板ガラス１００の幅方向（他の方向）に関して周辺部加熱ヒータ群２６、中央部加熱ヒータ群２７、及び周辺部加熱ヒータ群２８に分割されていると共に、板ガラス１００の上下方向（一の方向）に関しても上部加熱ヒータ群、中央部加熱ヒータ群、及び下部加熱ヒータ群に分割されている。この分割された各加熱ヒータ群は、夫々が独立して、電源が投入されると共に加熱量の大きさを制御できるように構成されており、加熱量制御部（不図示）が熱遮蔽板２５により画成された板ガラス１００の領域毎に加熱量の大きさを制御する。
【００６０】
ここで、板ガラスの曲げ加工は、まず、板ガラス１００を枠状の曲げ型２１の上に載置し、この載置された板ガラス１００の上方から板ガラス１００を加熱し、板ガラス１００への加熱により生じた輻射熱線のうち板ガラス１００の上面に対して斜め方向に入射する輻射熱線を熱遮蔽板２５により遮断することにより行われる。
【００６１】
図３は、図２における熱遮蔽板の配置を説明するのに用いられる図であり、（ａ）は平面図であり、（ｂ）は線Ｉ−Ｉに沿う断面図である。
【００６２】
図３（ａ）において、板ガラス１００と加熱ヒータ群１５の間に懸吊されたガラスウール（ガラス繊維）製の熱遮蔽板２５は、板ガラス１００の幅方向（Ａ方向）に配設され、板ガラス１００の上面における上下方向（Ｂ方向）に関して板ガラス１００における中央部と周辺部とを分割（３分割）する分割線の上方に位置する熱遮蔽板２５ａ，２５ｂ，２５ｃ，２５ｄ，２５ｅ，２５ｆと、板ガラス１００の上下方向（Ｂ方向）に配設され、板ガラス１００の上面における幅方向（Ａ方向）に関して板ガラス１００における中央部と周辺部とを分割（３分割）する分割線の上方に位置する熱遮蔽板２５ｇ，２５ｈ，２５ｉ，２５ｊ，２５ｋ，２５ｌとから成り、井桁状に配されている。
【００６３】
また、熱遮蔽板２５は、図３（ｂ）に示すように、下端が板ガラス１００の上面と所定間隔ｄとなるように配設されている。
【００６４】
上記熱遮蔽板２５は、加熱ヒータ群２５の加熱により生じた輻射熱線のうち板ガラス１００の上面に対して斜め方向に入射する輻射熱線を遮断する。例えば、熱遮蔽板２５ｂ，２５ｅ，２５ｈ，２５ｋは、板ガラス１００の中央領域Ｈの上方に配設された中央部加熱ヒータ群の加熱により生じた輻射熱線のうち板ガラス１００の上面に対して斜め方向に入射する輻射熱線を遮蔽する。これにより、中央領域Ｈと隣接する８つの周辺領域Ｄ，Ｅ，Ｆ，Ｇ，Ｉ，Ｊ，Ｋ，Ｌに輻射熱線が入射するのを防ぐ。ここで、輻射熱線の遮蔽度は、熱遮蔽板２５の下端と板ガラス１００の上面との間隔ｄによってさらに精密に調節される。
【００６５】
図４は、図３における板ガラスの加熱後の温度分布図であり、（ａ）は板ガラスの上下方向に関する温度分布図であり、（ｂ）は板ガラスの幅方向に関する温度分布図である。
【００６６】
図４（ａ）において、板ガラス１００の上下方向に関する温度分布は、板ガラス１００の中央領域Ｈと周辺領域Ｋ，Ｅとの境界Ｈａ，Ｈｂにおいて凸型の急な温度勾配を有する。即ち、板ガラス１００は、上下方向に関して、中央部と周辺部との境界において急な温度勾配を有する。
【００６７】
図４（ｂ）において、板ガラスの幅方向に関する温度分布は、板ガラス１００の中央領域Ｈと周辺領域Ｇ，Ｉとの境界Ｈｃ，Ｈｄにおいて凸型の急な温度勾配を有する。即ち、板ガラス１００は、幅方向に関しても、中央部と周辺部の境界において急な温度勾配を有する。
【００６８】
図５は、図３の成形ゾーンのセクションにより曲げ加工された曲げ板ガラスの斜視図である。
【００６９】
図５において、板ガラス１００は、図４（ａ）及び図４（ｂ）に示すような温度分布を有するように加熱された結果、上下方向（Ｂ方向）に関して中央部が凹んでいる滑らかな凹形状となると共に、幅方向（Ａ方向）に関しても中央部が凹んでいる滑らかな凹形状となる。
【００７０】
本実施の形態に係る曲げ加工方法よれば、板ガラス１００への加熱により生じた輻射熱線のうち板ガラス１００の上面に対して斜め方向に入射する輻射熱線を遮断するので、板ガラス１００の温度分布を容易に制御することができ、もって、板ガラス１００を所望の形状にすることができると共に、透視歪が発生することを防止することができる。
【００７１】
本実施の形態では、熱遮蔽板２５は、板ガラス１００の幅方向（Ａ方向）に配設され、板ガラス１００の上面における上下方向（Ｂ方向）に関して板ガラス１００における中央部と周辺部とを分割（３分割）する分割線の上方に位置する熱遮蔽板２５ａ，２５ｂ，２５ｃ，２５ｄ，２５ｅ，２５ｆと、板ガラス１００の上下方向（Ｂ方向）に配設され、板ガラス１００の上面における幅方向（Ａ方向）に関して板ガラス１００における中央部と周辺部とを分割（３分割）する分割線の上方に位置する熱遮蔽板２５ｇ，２５ｈ，２５ｉ，２５ｊ，２５ｋ，２５ｌとから成り、井桁状に配されているが、これに限定されるものではなく、例えば、図６（ａ）に示すように図３（ａ）における熱遮蔽板２５ｈ，２５ｋを省略した配置であってもよく、図６（ｂ）に示すように図３（ａ）における熱遮蔽板２５ａ，２５ｃ，２５ｄ，２５ｆ，２５ｇ，２５ｉ，２５ｊ，２５ｌを省略した、即ち、熱遮蔽板が中央領域Ｈのみを画成するような配置であってもよい。つまり、少なくとも、板ガラス１００の上面における上下方向に関して板ガラス１００における中央部と周辺部とを分割する分割線の上方に位置するように熱遮蔽板２５が設置されていればよい（例えば図６（Ｃ））。
【００７２】
本実施の形態では、板ガラス１００の曲げ加工装置として板ガラス１００が搬送されるトンネル状の加熱炉１０を使用しているが、これに限定されるものではなく、例えば、板ガラスが搬送されることのないバッチ式の曲げ加工装置を使用してもよい。
【００７３】
本実施の形態では、熱遮蔽板２５はガラスウール製であるが、これに限定されるものではなく、例えば、ステンレス製、カーボンクロス製等であってもよい。
【００７４】
本実施の形態では、曲げ型２１の上に１枚の板ガラス１００を載置しているが、これに限定されるものではなく、同一形状の複数の板ガラスを曲げ型２１の上に重ねて載置してもよい。これにより、同一形状に曲げ加工された板ガラスを同時に作製することができ、もってこの曲げ加工された板ガラスを中間膜を介して貼り合せることにより透視歪がない合わせガラスを容易に作製することができる。
【００７５】
また、熱遮蔽板２５は予熱ゾーン１１のとりわけ成形ゾーン１２に近い部分に設けられていてもよい。
【図面の簡単な説明】
【００７６】
【図１】本実施の形態に係る板ガラスの曲げ加工装置の概略構成を説明するために用いられる図であり、（ａ）は、全体配置側面図であり、（ｂ）は、曲げ加工装置における曲げ加工温度分布を示すグラフである。
【図２】図１における成形ゾーンのセクションの構成を概略的に示す構成図である。
【図３】図２における熱遮蔽板の配置を説明するのに用いられる図であり、（ａ）は平面図であり、（ｂ）は線Ｉ−Ｉに沿う断面図である。
【図４】図３における板ガラスの加熱後の温度分布図であり、（ａ）は板ガラスの上下方向に関する温度分布図であり、（ｂ）は板ガラスの幅方向に関する温度分布図である。
【図５】図３の成形ゾーンのセクションにより曲げ加工された曲げ板ガラスの斜視図である。
【図６】図３における熱遮蔽板の配置の変形例を説明するのに用いられる図である。
【図７】従来の曲げ板ガラスの断面図である。
【符号の説明】
【００７７】
１０  加熱炉
１１  予熱ゾーン
１２  成形ゾーン
１３  徐冷ゾーン
１５  加熱ヒータ群
２０  セクション
２５  熱遮蔽板
１００  板ガラス
【図１】
2005343747.tif 000003
【図２】
2005343747.tif 000004
【図３】
2005343747.tif 000005
【図４】
2005343747.tif 000006
【図５】
2005343747.tif 000007
【図６】
2005343747.tif 000008
【図７】
2005343747.tif 000009